(57)【要約】【課題】粉状の内容物や、粉状の破片を生じる内容物を収容した場合であっても、雄側嵌合部と雌側嵌合部を安定して嵌合し、開口を封じることができる嵌合具付き袋体の提供を目的とする。【解決手段】一対の平面部１１、１２を有する袋本体１０と、平面部１１の外面１１ａに設けられた突条の雄側嵌合部２１、および平面部１２の外面１２ａに設けられた雌側嵌合部２２を有する嵌合具２０と、第１の折り返し補助部３１と、第２の折り返し補助部３２とを具備し、第１の折り返し補助部３１と第２の折り返し補助部３２を利用して、袋本体１０の上部側が、平面部１１の外面１１ａと平面部１２の外面１２ａが向かい合うように折り返され、雄側嵌合部２１と雌側嵌合部２２が嵌合されて、袋本体１０の上部に形成した開口が閉じられる嵌合具付き袋体１。【選択図】図２
2012131562.tif 000002
【特許請求の範囲】
【請求項１】
一対の平面部を有する、内容物を収容する袋本体と、
前記袋本体の一方の平面部の外面に幅方向の一方の縁から他方の縁まで設けられた突条の雄側嵌合部、および前記袋本体の他方の平面部の外面に幅方向の一方の縁から他方の縁まで設けられた、前記雄側嵌合部に着脱自在に嵌合する雌側嵌合部を有する嵌合具と、
前記袋本体の上部側を、両方の平面部の互いの外面同士が向かい合うように折り返すのを補助する折り返し補助部と、を具備し、
前記袋本体の上部側が前記折り返し補助部を利用して折り返され、前記雄側嵌合部と雌側嵌合部が嵌合されて、前記袋本体の上部に形成した開口が閉じられる嵌合具付き袋体。
【請求項２】
前記袋本体が密封状態であり、
前記袋本体における前記雌側嵌合部および雌側嵌合部よりも上側に、前記袋本体の上部を開封するのを補助する切断補助線が設けられている請求項１に記載の嵌合具付き袋体。
【発明の詳細な説明】
【技術分野】
【０００１】
本発明は、嵌合具付き袋体に関する。
【背景技術】
【０００２】
食品、薬品および雑貨等の様々な分野において、袋体の開口を開閉自在に封じる嵌合具が取り付けられた嵌合具付き袋体が広く用いられている。例えば、一対の帯状の基材に、雄側嵌合部および該雄側嵌合部に着脱自在に嵌合する雌側嵌合部が、前記基材の長手方向に沿ってそれぞれ設けられた嵌合具が、内容物を収容する袋本体の上部の内面に取り付けられる（例えば、特許文献１）。このような嵌合具付き袋体は、袋本体の上部に開口を形成した後、嵌合具の雄側嵌合部と雌側嵌合部とを着脱させることにより、形成した開口の開閉が繰り返し行える。
【先行技術文献】
【特許文献】
【０００３】
【特許文献１】特開２００８−４４６６３号公報
【発明の概要】
【発明が解決しようとする課題】
【０００４】
しかし、特許文献１に記載のような嵌合具付き袋体は、粉状の内容物や、菓子等の粉状の破片を生じる内容物を収容した場合に、雌側嵌合部内に粉状の内容物や破片等が入り込み、雄側嵌合部と雌側嵌合部の嵌合が阻害されることがある。
【０００５】
本発明は、粉状の内容物や、粉状の破片を生じる内容物を収容した場合であっても、雄側嵌合部と雌側嵌合部を安定して嵌合し、容易に開口を閉じることができる嵌合具付き袋体の提供を目的とする。
【課題を解決するための手段】
【０００６】
本発明は、前記課題を解決するために以下の構成を採用した。
［１］一対の平面部を有する、内容物を収容する袋本体と、
前記袋本体の一方の平面部の外面に幅方向の一方の縁から他方の縁まで設けられた突条の雄側嵌合部、および前記袋本体の他方の平面部の外面に幅方向の一方の縁から他方の縁まで設けられた、前記雄側嵌合部に着脱自在に嵌合する雌側嵌合部を有する嵌合具と、
前記袋本体の上部側を、両方の平面部の互いの外面同士が向かい合うように折り返すのを補助する折り返し補助部と、を具備し、
前記袋本体の上部側が前記折り返し補助部を利用して折り返され、前記雄側嵌合部と雌側嵌合部が嵌合されて、前記袋本体の上部に形成した開口が閉じられる嵌合具付き袋体。
［２］前記袋本体が密封状態であり、
前記袋本体における前記雌側嵌合部および雌側嵌合部よりも上側に、前記袋本体の上部を開封するのを補助する切断補助線が設けられている［１］に記載の嵌合具付き袋体。
【発明の効果】
【０００７】
本発明の嵌合具付き袋体は、粉状の内容物や、粉状の破片を生じる内容物を収容した場合であっても、雄側嵌合部と雌側嵌合部を安定して嵌合し、容易に開口を閉じることができる。
【図面の簡単な説明】
【０００８】
【図１】本発明の嵌合具付き袋体の一例を示した正面図である。
【図２】図１の嵌合具付き袋体の直線Ｉ−Ｉ’で切断したときの断面図である。
【図３】図２の嵌合具付き袋体の嵌合具を嵌合した様子を示した断面図である。
【図４】図１の嵌合具付き袋体の袋本体を開封した様子を示した断面図である。
【図５】図４の嵌合具付き袋体の上部を嵌合具により閉じた様子を示した断面図である。
【図６】本発明の嵌合具付き袋体の他の例を示した断面図である。
【図７】図６の嵌合具付き袋体の上部を折り返して閉じる様子を示した断面図である。
【図８】本発明の嵌合具付き袋体の他の例を示した断面図である。
【図９】本発明の嵌合具付き袋体の他の例を示した断面図である。
【図１０】本発明の嵌合具付き袋体の他の例を示した断面図である。
【図１１】本発明の嵌合具付き袋体の他の例を示した断面図である。
【図１２】図１１の嵌合具付き袋体の上部を折り返して閉じる様子を示した断面図である。
【図１３】本発明の嵌合具付き袋体の他の例を示した断面図である。
【図１４】図１３の嵌合具付き袋体を開封する様子を示した拡大正面図である。
【図１５】図１３の嵌合具付き袋体を開封した様子を示した斜視図である。
【発明を実施するための形態】
【０００９】
以下、本発明の嵌合具付き袋体の一例を示して詳細に説明する。
［第１実施形態］
本実施形態の嵌合具付き袋体１（以下、単に「袋体１」という。）は、図１および図２に示すように、一対の平面部１１、１２を有する、内容物を収容する袋本体１０と、嵌合具２０と、第１の折り返し補助部３１と、第２の折り返し部３２とを具備する。嵌合具２０は、平面部１１の外面１１ａに設けられた雄側嵌合部２１、および平面部１２の外面１２ａに設けられた雌側嵌合部２２からなる。第１の折り返し補助部３１は、平面部１１の外面１１ａに設けられており、第２の折り返し補助部３２は、平面部１２の外面１２ａに設けられている。
【００１０】
袋本体１０は、平面部１１と平面部１２とが、その周縁部１３がヒートシールされて密封された状態である。
袋本体１０の形状は、本実施形態では矩形である。ただし、袋本体１０の形状は矩形には限定されない。また、袋本体１０の大きさも特に限定されず、袋本体１０に収容する内容物によって適宜選定すればよい。
袋本体１０を形成する平面部１１および平面部１２は、単層フィルムからなっていてもよく、積層フィルムからなっていてもよい。積層フィルムとしては、ヒートシール層、耐熱層、バリア層等を含むフィルムが挙げられる。
耐熱層の材質としては、二軸延伸ナイロン、二軸延伸ポリプロピレン等が挙げられる。
ヒートシール層としては、直鎖状低密度ポリエチレン、無延伸ポリプロピレン、エチレン−酢酸ビニル共重合体、アイオノマー等が挙げられる。
バリア層としては、ポリビニルアルコール等が挙げられる。
平面部１１、１２は、１種の樹脂からなっていてもよく、２種以上の樹脂を含む樹脂組成物からなっていてもよい。また、必要に応じて安定剤、酸化防止剤、滑剤、帯電防止剤、着色剤等の公知の添加剤が添加されていてもよい。
【００１１】
嵌合具２０は、平面部１１の外面１１ａに、一方の縁から他方の縁まで幅方向に沿って設けられた突条の雄側嵌合部２１と、平面部１２の外面１２ａに、一方の縁から他方の縁まで幅方向に沿って設けられた、雄側嵌合部２１に着脱自在に嵌合する雌側嵌合部２２とからなる。雄側嵌合部２１は、平面部１１の外面１１ａに一体的に形成されている。また、雌側嵌合部２２は、平面部１２の外面１２ａに一体的に形成されている。
【００１２】
雄側嵌合部２１は、図２に示すように、平面部１１の外面１１ａから突き出すように形成された幹部２１ａと、幹部２１ａよりも大きい断面略半円形状の頭部２１ｂを有している。また、雌側嵌合部２２は、平面部１２の外面１２ａから断面円弧状に突き出すアーム部２２ａ、２２ｂからなり、これらアーム部２２ａ、２２ｂにより凹部２２ｃが形成されている。
雄側嵌合部２３と雌側嵌合部２４の形状は特に制限はなく、それらを着脱自在に嵌合できるものであれば、任意の形状を採用できる。
【００１３】
雄側嵌合部２１と雌側嵌合部２２の上下方向の位置は、雄側嵌合部２１の方が雌側嵌合部２２よりも上側に位置している。これにより、袋体１は、図３に示すように、袋本体１０の上部側を、平面部１１の外面１１ａと平面部１２の外面１２ａが向かい合うように平面部１２側に２度折り返し、雄側嵌合部２１の頭部２１ｂを雌側嵌合部２２の凹部２２ｃに嵌め込むことで、雄側嵌合部２１と雌側嵌合部２２を着脱自在に嵌合できるようになっている。
雄側嵌合部２１と雌側嵌合部２２の上下方向の距離ａ（図２）は、袋本体１０の上部側を折り返して雄側嵌合部２１と雌側嵌合部２２を嵌合できるように適宜設定すればよい。
【００１４】
雄側嵌合部２１は、本実施形態では袋本体１０の幅方向に沿って形成されているが、この形態には限定されず、袋本体１０の幅方向に対して傾斜して設けられていてもよい。この場合、雌側嵌合部２２も、袋本体１０の上部側を折り返して雄側嵌合部２１と雌側嵌合部２２を嵌合できるように、袋本体１０の幅方向に対して傾斜して設けられる。
【００１５】
雄側嵌合部２１および雌側嵌合部２２の材質としては、公知の嵌合具における嵌合部に通常使用される材質が使用でき、ポリエチレン、ポリプロピレン等のポリオレフィン系樹脂等が挙げられる。また、必要に応じて安定剤、酸化防止剤、滑剤、帯電防止剤、着色剤等の公知の添加剤が添加されていてもよい。この例では、雄側嵌合部２１および雌側嵌合部２２の材質は、平面部１１の外面１１ａ側、平面部１２の外面１２ａ側の材質と同じである。
【００１６】
袋体１の袋本体１０における雄側嵌合部２１および雌側嵌合部２２よりも上側には、袋本体１０の上部を切断して開封するのを補助する切断補助線１４が、袋本体１０の一方の縁から他方の縁まで幅方向に沿って設けられている。
切断補助線１４としては、例えば、袋本体１０の平面部１１、１２における切断補助線１４の部分をそれ以外の部分に比べて薄肉化した弱化線、ミシン目からなる弱化線、列状に形成された細孔からなる弱化線が挙げられる。また、切断補助線１４は、前記弱化線には限定されず、ハサミやカッター等で切断する位置を示す、印刷等で形成した線であってもよい。
切断補助線１４は、本実施形態では袋本体１０の幅方向に沿って形成されているが、この形態には限定されず、袋本体１０の幅方向に対して傾斜して設けられていてもよい。
【００１７】
袋本体１０における切断補助線１４の末端部分に対応する位置には、図１に示すように、ノッチ１５が形成されている。ノッチ１５の形状は、この例では三角形状であるが、特に限定されず、半円形状、直線状等であってもよい。
【００１８】
第１の折り返し補助部３１と第２の折り返し補助部３２は、袋本体１０の上部側を、平面部１１の外面１１ａと平面部１２の外面１２ａ同士が向かい合うように折り返すのを補助する部分であり、第１の折り返し補助部３１と第２の折り返し補助部３２を利用して袋本体１０の上部側を折り返すことで、雄側嵌合部２１と雌側嵌合部２２が、嵌合できる位置に位置決めされる。
この例では、平面部１１の外面１１ａと平面部１２の外面１２ａのそれぞれに、帯状の第１の折り返し補助部３１と第２の折り返し補助部３２が、袋本体１０の一方の縁から他方の縁まで幅方向に沿って設けられている。第１の折り返し補助部３１の上下方向の位置は、図２に示すように、雄側嵌合部２１と雌側嵌合部２２の間に位置している。第２の折り返し補助部３２の上下方向の位置は、上端３２ａが切断補助線１４よりも下側に位置しており、下端３２ｂが、雄側嵌合部２１よりも下側で、かつ第１の折り返し補助部３１の上端３１ａよりも上側に位置するようになっている。
【００１９】
袋体１の上部側は、第１の折り返し補助部３１と第２の折り返し補助部３２が設けられた部分と、それらが設けられていない部分とで厚みに差がある。これにより、袋体１の上部側は、その厚みの差を利用し、第１の折り返し補助部３１の下端３１ｂと第２の折り返し補助部３２の下端３２ｂが位置する部分をそれぞれ基点にして容易に折り返せるようになっている。また、第１の折り返し補助部３１と第２の折り返し補助部３２が設けられた部分は、厚みが増すことから折り返した際の形状が扁平な状態で安定しやすく、袋本体１０の上部側の折り返しが容易になっている。
袋体１では、図３に示すように、袋本体１０の上部側を、第２の折り返し補助部３２の下端３２ｂを基点に折り返し、さらに第１の折り返し部３１の下端３１ｂを基点に折り返すことで、平面部１１の外面１１ａに設けられた雄側嵌合部２１と、平面部１２の外面１２ａに設けられた雌側嵌合部２２とが、嵌合できる位置に位置決めされるようになっている。
【００２０】
第１の折り返し補助部３１と第２の折り返し補助部３２は、この例では袋本体１０の幅方向に沿って一方の縁から他方の縁まで設けられているが、この形態には限定されない。雄側嵌合部２１と雌側嵌合部２２を安定して嵌合できる範囲であれば、袋本体１０の縁まで設けられていなくてもよい。また、第１の折り返し補助部３１と第２の折り返し補助部３２は、この例では連続的に設けられているが、破線状など不連続に設けてもよい。
【００２１】
第１の折り返し補助部３１と第２の折り返し補助部３２の材質および厚みは、それら補助部が袋本体１０の上部側を折り返す際に補助となり得る材質と厚みを適宜選択すればよい。例えば、第１の折り返し補助部３１と第２の折り返し補助部３２の材質を袋本体１０または嵌合具２０と同じ材質とし、その厚みを袋本体１０の厚みよりも厚くする形態等が挙げられる。また、第１の折り返し補助部３１と第２の折り返し補助部３２の材質を袋本体１０よりも硬い材質とし、厚みは袋本体１０の厚みと同等とする形態でもよい。
第１の折り返し補助部３１と第２の折り返し補助部３２の材質の具体例としては、例えば、平面部１１、１２や嵌合具２０に使用される材質が使用でき、ポリエチレン、ポリプロピレン等のポリオレフィン系樹脂等が挙げられる。また、第１の折り返し補助部３１と第２の折り返し補助部３２には、必要に応じて安定剤、酸化防止剤、滑剤、帯電防止剤、着色剤等の公知の添加剤が添加されていてもよい。
【００２２】
以下、袋体１の作用について説明する。
袋体１は、図１および図２に示すように、内容物を収容した状態で平面部１１と平面部１２の周縁部１３が接着され、袋本体１０が密封されている。そして、図３に示すように、袋本体１０の上部側が、第１の折り返し補助部３１と第２の折り返し補助部３２を利用して平面部１２側に２度折り返され、平面部１１の外面１１ａに設けられた雄側嵌合部２１と、平面部１２の外面１２ａに設けられた雌側嵌合部２２とが嵌合される。このように、袋体１では、雄側嵌合部２１と雌側嵌合部２２が、袋本体１０の外面に設けられているため、袋本体１０内に収容された内容物と接触しない。そのため、雄側嵌合部２１に内容物が付着したり、雌側嵌合部２２の凹部２２ｃ内に内容物が入り込んで、雄側嵌合部２１と雌側嵌合部２２の嵌合が阻害されることを抑制できる。
【００２３】
内容物を取り出す際には、図１および図２に示すように、雄側嵌合部２１を雌側嵌合部２２から脱離させて袋本体１０の上部を伸ばし、袋本体１０の上部をノッチ１５から切断補助線１４に沿って切断し、図４に示すように、袋本体１０の上部に開口１６を形成する。袋本体１０を一旦開封した後は、図５に示すように、袋本体１０の上部側を、第２の折り返し補助部３２の下端３２ｂの部分を基点に折り返し、さらに第１の折り返し補助部３１の下端３１ｂの部分を基点に折り返すようにして、平面部１２側に２度折り返し、平面部１１の外面１１ａと平面部１２の外面１２ａを向かい合わせて、雄側嵌合部２１と雌側嵌合部２２とを嵌合することで、形成した開口１６を閉じる。
【００２４】
袋体１では、雄側嵌合部２１と雌側嵌合部２２が袋本体１０の外面にあるので、内容物を取り出す際に、雄側嵌合部２１に内容物が付着したり、雌側嵌合部２２の凹部２２ｃに内容物が入り込むことを抑制できる。そのため、袋体１は、粉状の内容物や、粉状の破片を生じる内容物を収容した場合であっても、袋本体１０を一旦開封した後、安定して雄側嵌合部２１と雌側嵌合部２２を嵌合して開口１６を閉じることができる。また、袋体１では、第１の折り返し補助部３１の下端３１ｂと第２の折り返し補助部３２の下端３２ｂをそれぞれ基点にして袋本体１０の上部側を折り返すので、２度折り返しても、雄側嵌合部２１と雌側嵌合部２２を嵌合できる位置に容易に位置決めできる。よって、袋体１は、雄側嵌合部２１と雌側嵌合部２２が袋本体１０の両面にそれぞれ設けられていても、それらを嵌合して開口１６を閉じることが容易である。
【００２５】
［他の実施形態］
なお、本発明の嵌合具付き袋体は、前記袋体１には限定されない。例えば、嵌合具は、雄側嵌合部と雌側嵌合部が袋本体の外面に直接形成された形態には限定されず、帯状の基材を有する嵌合具であってもよい。また、折り返し補助部の形態は、袋本体の上部側を折り返すのを補助して、雄側嵌合部と雌側嵌合部を嵌合できる位置に位置決めできるものであれば特に限定されず、袋本体の上部側を折り返す基点となる溝や薄肉部を有する折り返し補助部であってもよい。また、折り返し補助部の数は１つであってもよく、嵌合具が帯状の基材を有する場合は、折り返し補助部と基材が一体化している形態であってもよい。
以下、本発明の嵌合具付き袋体の他の形態をいくつか挙げて具体的に説明する。
【００２６】
図６は、本発明の嵌合具付き袋体の他の例である嵌合具付き袋体２（以下、単に「袋体２」という。）を示した断面図である。袋体２において、袋体１と同じ部分については同符号を付して説明を省略する。
袋体２は、図６に示すように、一対の平面部１１、１２を有する、内容物を収容する袋本体１０と、嵌合具２０Ａと、折り返し補助部３３とを具備する。嵌合具２０Ａは、雄側嵌合部２１が帯状の基材２３に長手方向に沿って設けられ、雌側嵌合部２２が帯状の基材２４に長手方向に沿って設けられており、基材２３が平面部１１の外面１１ａに取り付けられ、基材２４が平面部１２の外面１２ａに取り付けられている。折り返し補助部３３は、平面部１２の外面１２ａに設けられている。
【００２７】
嵌合具２０Ａにおける基材２３、２４は、公知の嵌合具における基材に通常使用される材質の基材が使用でき、単層フィルムからなる基材であってもよく、積層フィルムからなる基材であってもよい。積層フィルムとしては、例えば、耐熱層とヒートシール層が積層されたフィルムが挙げられる。また、前記積層フィルムは、耐熱層とヒートシール層の間にバリア層を有していてもよい。
基材２３、２４は、１種の樹脂からなっていてもよく、２種以上の樹脂を含む樹脂組成物からなっていてもよい。また、必要に応じて安定剤、酸化防止剤、滑剤、帯電防止剤、着色剤等の公知の添加剤が添加されていてもよい。
【００２８】
折り返し補助部３３は、袋本体１０の上部側を、平面部１１の外面１１ａと平面部１２の外面１２ａ同士が向かい合うように折り返すのを補助する部分であり、折り返し補助部３３を利用して袋本体１０の上部を折り返すことで、雄側嵌合部２１と雌側嵌合部２２が、嵌合できる位置に位置決めされる。
この例では、平面部１２の外面１２ａに、帯状の折り返し補助部３３が、袋本体１０の一方の縁から他方の縁まで幅方向に沿って設けられている。折り返し補助部３３の上下方向の位置は、雄側嵌合部２１と雌側嵌合部２２の間に位置している。
折り返し補助部３３は、袋本体１０の上部側を折り返す基点となる溝３３ａを有している。溝３３ａの断面形状は、この例では三角形状であるが、袋本体１０の上部側を折り返す基点となるものであればよく、半円状、矩形状などであってもよい。
【００２９】
袋体２では、図７に示すように、袋本体１０の上部側を、折り返し補助部３３の上端３３ｂを基点に折り返し、さらに折り返し補助部３３の溝３３ａを基点に折り返すことで、平面部１１の外面１１ａに設けられた雄側嵌合部２１と、平面部１２の外面１２ａに設けられた雌側嵌合部２２とが、嵌合できる位置に位置決めされるようになっている。
【００３０】
折り返し補助部３３は、袋体１の第１の折り返し補助部３１と第２の折り返し補助部３２と同様に、幅方向に沿って一方の縁から他方の縁まで設けられてもよく、袋本体１０の縁まで形成されないように設けてもよい。また、折り返し補助部３３は、連続的に設けてもよく、破線状など不連続に設けてもよい。
【００３１】
また、図８に例示した嵌合具付き袋体３（以下、「袋体３」という。）であってもよい。袋体３において、袋体１、２と同じ部分については、同符号を付して説明を省略する。
袋体３は、図８に示すように、一対の平面部１１、１２を有する、内容物を収容する袋本体１０と、嵌合具２０Ａと、折り返し補助部３３とを具備し、嵌合具２０Ａと折り返し補助部３３が一体化している。つまり、袋体３は、嵌合具２０Ａと折り返し補助部３３が一体化している以外は、袋体２と同じである。この例では、折り返し補助部３３は、平面部１２の外面１２ａに設けられ、嵌合具２０Ａにおける基材２４と一体化している。
【００３２】
袋体３は、袋体２と同様に、袋本体１０の上部側を、折り返し補助部３３の上端３３ｂを基点に折り返し、さらに折り返し補助部３３の溝３３ａを基点に折り返すことで、平面部１１の外面１１ａに設けられた雄側嵌合部２１と、平面部１２の外面１２ａに設けられた雌側嵌合部２２とが、嵌合できる位置に位置決めされる。
【００３３】
また、袋体３のように、嵌合具と折り返し補助部が一体化した形態としては、図９および図１０に示すように、溝３３ａの代わりに薄肉部３３ｃ、３３ｄを有する折り返し補助部３３Ａ、３３Ｂが嵌合具２０Ａの基材２４と一体化した形態も挙げられる。
また、本発明の嵌合具付き袋体は、折り返し補助部３３、３３Ａまたは３３Ｂが平面部１１の外面１１ａに設けられ、嵌合具２０Ａの基材２３と一体化している形態であってもよい。
【００３４】
また、袋体２、３では、切断補助線を袋本体１０の平面部１１、１２には設けず、基材２３における雄側嵌合部２１よりも上側に設け、該切断補助線に沿って、基材２３の一部と共に、袋本体１０の上部を切断して上部に開口を形成する形態であってもよい。
【００３５】
また、図１１に例示した嵌合具付き袋体４（以下、「袋体４」という。）であってもよい。袋体４において、袋体１と同じ部分については、同符号を付して説明を省略する。
袋体４は、図１１に示すように、一対の平面部１１、１２を有する、内容物を収容する袋本体１０と、嵌合具２０と、折り返し補助部３４とを具備する。折り返し補助部３４は、平面部１２の外面１２ａに設けられている。
【００３６】
折り返し補助部３４は、袋本体１０の上部側を、平面部１１の外面１１ａと平面部１２の外面１２ａ同士が向かい合うように折り返すのを補助する部分であり、折り返し補助部３４を利用して袋本体１０の上部を折り返すことで、雄側嵌合部２１と雌側嵌合部２２が、嵌合できる位置に位置決めされる。
この例では、平面部１２の外面１２ａに、帯状の折り返し補助部３４が、袋本体１０の一方の縁から他方の縁まで幅方向に沿って設けられている。折り返し補助部３４の上下方向の位置は、雄側嵌合部２１と雌側嵌合部２２の間に位置している。袋体４では、図１２に示すように、袋本体１０の上部側を、折り返し補助部３４の上端３４ａを基点に折り返し、さらに折り返し部３４の下端３４ｂを基点に折り返すことで、平面部１１の外面１１ａに設けられた雄側嵌合部２１と、平面部１２の外面１２ａに設けられた雌側嵌合部２２とが、嵌合できる位置に位置決めされるようになっている。
【００３７】
折り返し補助部３４は、折り返し補助部３３と同様に、幅方向に沿って一方の縁から他方の縁まで設けられてもよく、袋本体１０の縁まで形成されないように設けてもよい。また、折り返し補助部３３は、連続的に設けてもよく、破線状など不連続に設けてもよい。
また、本発明の嵌合具付き袋体は、折り返し補助部３４が平面部１１の外面１１ａに設けられていてもよい。また、嵌合具が前記嵌合具２０Ａのような基材を有する場合、折り返し補助部３４が嵌合具の基材と一体化している形態であってもよい。
【００３８】
また、本発明の嵌合具付き袋体は、切断補助線１４を有するものには限定されない。例えば、図１３に例示した嵌合具付き袋体１Ａ（以下、「袋体１Ａ」という。）であってもよい。袋体１Ａにおいて、袋体１と同じ部分については、同符号を付して説明を省略する。
袋体１Ａは、図１３に示すように、一対の平面部１１、１２を有する、内容物を収容する袋本体１０と、嵌合具２０と、第１の折り返し補助部３１と、第２の折り返し補助部３２とを具備しており、平面部１２における雌側嵌合部２２よりも上側の内面１２ｂに、平面部１２を切断して袋本体１０を開封するのを補助するカットテープ１７が、幅方向に沿って取り付けられている。カットテープ１７は、接着層１８を介して平面部１２の内面１２ｂに取り付けられている。
【００３９】
平面部１２におけるカットテープ１７の端部には、カットテープ１７の端部を把持できるように切り込みが形成される。袋体１Ａは、図１４に示すように、カットテープ１７の端部を把持して引き裂くことで、平面部１２がカットテープ１７に沿って切断され、図１５に示すように、袋本体１０の上部に開口１９を形成できる。
カットテープ１７は、本実施形態では袋本体１０の幅方向に沿って形成されているが、この形態には限定されず、袋本体１０の幅方向に対して傾斜して設けられていてもよい。
【００４０】
カットテープ１７の材質としては、例えば、加熱によって袋本体１０に溶着しない材質が使用でき、延伸高密度ポリエチレン、延伸ポリプロピレン、延伸ポリエステル等が挙げられる。
接着層１８の材質としては、低密度ポリエチレン、直鎖状低密度ポリエチレン、無延伸ポリプロピレン等が挙げられる。
【００４１】
袋体１Ａも袋体１と同様に、袋本体１０を一旦開封した後、袋本体１０の上部側を、第１の折り返し補助部３１と第２の折り返し補助部３２を利用して、平面部１１の外面１１ａと平面部１２の外面１２ａを向かい合うように平面部１２側に折り返し、雄側嵌合部２１と雌側嵌合部２２とを嵌合することで、形成した開口１９を閉じることができる。
【００４２】
また、袋体１、１Ａ、２〜４は、いずれも袋本体が予め密封状態とされ、切断補助線またはカットテープによって開封して開口を形成する形態であったが、袋本体の上部が密封されず、雄側嵌合部と雌側嵌合部の嵌合のみで閉じられた嵌合具付き袋体であってもよい。しかし、本発明の嵌合具付き袋体は、流通時等において、雄側嵌合部に内容物が付着したり、雌側嵌合部の凹部内に内容物が入り込むのを防止できる点から、袋体１、１Ａ、２〜４のように、袋本体１０が密封状態とされた形態が好ましい。
また、本発明の嵌合具付き袋体は、前述した各形態を組み合わせた形態であってもよい。
【符号の説明】
【００４３】
１、１Ａ、２〜４  嵌合具付き袋体
１０  袋本体
１１  一方の平面部
１２  他方の平面部
１１ａ  一方の平面部の外面
１２ａ  他方の平面部の外面
１４  切断補助線
１６、１９  開口
２０、２０Ａ  嵌合具
２１  雄側嵌合具
２２  雌側嵌合具
３１  第１の折り返し補助部
３２  第２の折り返し補助部
３３、３３Ａ、３３Ｂ、３４  折り返し補助部
【図１】
2012131562.tif 000003
【図２】
2012131562.tif 000004
【図３】
2012131562.tif 000005
【図４】
2012131562.tif 000006
【図５】
2012131562.tif 000007
【図６】
2012131562.tif 000008
【図７】
2012131562.tif 000009
【図８】
2012131562.tif 000010
【図９】
2012131562.tif 000011
【図１０】
2012131562.tif 000012
【図１１】
2012131562.tif 000013
【図１２】
2012131562.tif 000014
【図１３】
2012131562.tif 000015
【図１４】
2012131562.tif 000016
【図１５】
2012131562.tif 000017